(57)【要約】 【課題】本考案は一端縁が開口された袋体の内部に収容した物が容易に出ないこと及び、携帯用ポケットティッシュを使用した後のゴミ処理の問題を解決するものである。【解決手段】表面側シートと裏面側シートが対向して袋状に閉じられて袋体が形成され、前記袋体の一端縁が開口された袋体において、前記開口部における裏面側シートの左右の少なくとも一方の端部近傍が表面側シートの左右端部近傍を覆うように構成する。また、表面側シートと裏面側シートが袋状に閉じられた袋体の内部に物品を収納するとともに、表面側シートに物品取り出し用のスリットを設けた物品収納部と、前記裏面側シートと第２のシートとの間に形成された第２の袋状部を備え、前記第２の袋状部の一端縁が開口され、前記開口部における第２のシートの左右の少なくとも一方の端部近傍が表面側シートの左右端部近傍を覆うように構成する。【選択図】  図1
2012232758.tif 000002
【特許請求の範囲】
【請求項１】
表面側シートと裏面側シートが対向して張り合わされて袋体が形成され、前記袋体の一端縁が開口され、前記開口部における一方のシートの左右の少なくとも一方の端部近傍が他方のシートの左右端部近傍を覆うように構成されたことを特徴とする袋体。
【請求項２】
表面側シートと裏面側シートが袋状に閉じられた袋体の内部に物品を収納するとともに、表面側シートに物品取り出し用のスリットを設けた物品収納部と、前記裏面側シートと第２のシートとの間に形成された第２の袋状部を備え、前記第２の袋状部の一端縁が開口され、前記開口部における第２のシートの左右の少なくとも一方の端部近傍が表面側シートの左右端部近傍を覆うように構成されたことを特徴とする袋体。
【請求項３】
前記袋体を構成する袋基材は、長方形状の熱可塑性の合成樹脂フィルム、又は熱可塑性の合成樹脂繊維の不織布シートからなり、収納物の上面側を受ける表面側シートと、表面側シートの後方に連なって収納物の下面部を覆う下面部シートと、表面側シートの前方に連なって下面部シートの外側を覆う裏面側シートと、裏面側シートを折り返した裏面延長シートと、裏面延長シートの左右の少なくとも一方の端縁を延出し表面側シートの左右端部近傍を覆う延出片を有しており、表面側シートと裏面側シートと下面部シートと裏面延長シート及び延出片の左右端縁が熱溶着され袋体が形成されていることを特徴とする請求項１及び２に記載の袋体。
【請求項４】
前記袋体を構成する袋基材は、長方形状の熱可塑性の合成樹脂フィルム、又は熱可塑性の合成樹脂繊維の不織布シートからなり、収納物の上面側を受ける表面側シートと、表面側シートの後方に連なって収納物の下面部を覆う裏面側シートと、表面側シートの前方に連なって裏面側シートの外側を覆う表面延長シートと、表面延長シートの左右の少なくとも一方の端縁を延出し表面側シートの左右近傍を覆う延出片を有しており、表面側シートと裏面側シートと表面延長シート及び延出片の左右端縁が熱溶着され袋体が形成されていることを特徴とする請求項１及び２に記載の袋体。
【請求項５】
前記記載の袋体の表面延長シート及び裏面延長シートにタックを設けたことを特徴とする請求項２から４のいずれかに記載の袋体。  
【発明の詳細な説明】
【技術分野】
【０００１】
本発明は一端縁が開口された袋体、又は収納ポケットを有する一端縁が開口された袋体に関するものである。      
【背景技術】
【０００２】
従来、袋体には、収納物を取り出すための開口部が設けられて、ファスナーやボタンなどで閉じられている。しかしながら、ファスナーやボタンなどを取り付けるには手間やコストがかかる。
【０００３】
また、携帯用ポケットティッシュにおいては、ティッシュペーパーを使用した後、近くにゴミ箱がない時は、鞄やバッグなどに入れたり、衣服のポケットの中に直接入れて持帰っていた。しかしながら、使用済みのティッシュを鞄やバッグや衣服のポケットにいれると、鞄や衣服が汚れる恐れがある。このため、特許文献１の携帯用ティッシュペーパーや特許文献２のごみ袋付きポケットティッシュが開示されている。
【０００４】
ところが、文献１の携帯用ポケットティッシュは、重ね片を外側で折り返したポケット部分を具備し、両側の開口を圧着しただけのため、ポケット入り口が容易に開き入れたゴミが出てしまう難点があった。
【０００５】
また、特許文献２のごみ袋付きポケットティッシュは、本体にビニール袋を貼り付けてゴミ収納スペースを設けているため、本体とビニール袋とをそれぞれ別々に成形し接合する必要があり、成形加工や組み立て加工にコストがかかり、生産性がおちる。また文献１と同様、ポケット入り口が容易に開き入れたゴミが出てしまう。
【先行技術文献】
【特許文献】
【０００６】
【特許文献１】実用新案登録第３０７９８８３
【特許文献２】特開２００２−３０２１７２
【発明の概要】
【発明が解決しようとする課題】
【０００７】
本発明は、上記のような問題点を解決し、袋体の開口部にファスナーやボタンなどを取り付けずに開口部を閉じることができ、袋体内に収納した物が容易に出てしまうことがなく手間やコストを抑えた一端縁が開口された袋体を提供しようとするものである。また携帯用ポケットティッシュにおいては、一端縁が開口された袋状部のゴミ入れ部を設け、入れたゴミが容易に出なく、袋体の全体を一枚のフィルムで成形することにより成形作業や組み立て作業の手間を抑えて、コストダウンと生産性のよいゴミ袋付ポケットティッシュを提供しようとするものである。
【課題を解決するための手段】
【０００８】
上記課題を解決するために、本発明の袋体では、表面側シートと裏面側シートが対向して張り合わされて袋体が形成され、前記袋体の一端縁が開口され、前記開口部における一方のシートの左右の少なくとも一方の端部近傍が他方のシートの左右端部近傍を覆うように構成した。
【０００９】
また、請求項２の発明では、表面側シートと裏面側シートが袋状に閉じられた袋体の内部に物品を収納するとともに、表面側シートに物品取り出し用のスリットを設けた物品収納部と、前記裏面側シートと第２のシートとの間に形成された第２の袋状部を備え、前記第２の袋状部の一端縁が開口され、前記開口部における第２のシートの左右の少なくとも一方の端部近傍が表面側シートの左右端部近傍を覆うように構成した。
【００１０】
また、請求項３の発明では、前記袋体を構成する袋基材は、長方形状の熱可塑性の合成樹脂フィルム、又は熱可塑性の合成樹脂繊維の不織布シートからなり、収納物の上面側を受ける表面側シートと、表面側シートの後方に連なって収納物の下面部を覆う下面部シートと、表面側シートの前方に連なって下面部シートの外側を覆う裏面側シートと、裏面側シートを折り返した裏面延長シートと、裏面延長シートの左右の少なくとも一方の端縁を延出し表面側シートの左右端部近傍を覆う延出片を有しており、表面側シートと裏面側シートと下面部シートと裏面延長シート及び延出片の左右端縁が熱溶着され袋体が形成されている。
【００１１】
また、請求項４の発明では、前記袋体を構成する袋基材は、長方形状の熱可塑性の合成樹脂フィルム、又は熱可塑性の合成樹脂繊維の不織布シートからなり、収納物の上面側を受ける表面側シートと、表面側シートの後方に連なって収納物の下面部を覆う裏面側シートと、表面側シートの前方に連なって裏面側シートの外側を覆う表面延長シートと、表面延長シートの左右の少なくとも一方の端縁を延出し表面側シートの左右近傍を覆う延出片を有しており、表面側シートと裏面側シートと表面延長シート及び延出片の左右端縁が熱溶着され袋体が形成されている。
【００１２】
また、請求項５の発明では、前記記載の袋体の表面延長シート及び裏面延長シートにタックを設けた。
【発明の効果】
【００１３】
請求項１の発明によれば、本発明は、袋体の一端縁の開口の左右少なくとも一端部近傍を覆うように構成したことにより開口部がほぼ閉じた状態になり袋体内の収納物が不用意に出なく、袋体の開口部にファスナーやボタンなどを取り付ける必用がないため、手間やコストを抑えられる。
【００１４】
請求項２の発明によれば、第２の袋状部の一端縁が開口され、第２のシートの左右の少なくとも一方の端部近傍が表面側シートの左右端部近傍を覆うように構成したことにより、第２の袋状部の開口部がほぼ閉じた状態になり収納物が不用意に出ない。
【００１５】
請求項３及び４の発明によれば、袋体を構成する基材が一枚のフィルムを折って熱溶着することにより得られるので、パーツごとの成形作業や組み立て作業の手間を抑えて、コストダウンと生産性の向上とを図ることができる。従って、袋体を安価に大量生産できる利点がある。
【図面の簡単な説明】
【００１６】
【図１】本発明の実施例１を示す表面斜視図である。
【図２】本発明の実施例２及び実施例３を示す表面斜視図である。
【図３】本発明の実施例２及び実施例３を示す裏面斜視図である。
【図４】本発明の実施例２のa-a断面図である。
【図５】本発明の実施例２の袋体の展開図である。
【図６】本発明の実施例３のa-a断面図である。
【図７】本発明の実施例３の袋体の展開図である。
【図８】本発明の実施例４を示す表面斜視図である。
【発明を実施するための形態】
【００１７】
以下、本発明の実施形態について図面を参照して説明する。
【実施例１】
【００１８】
図１は、本発明の実施例１を示す斜視図である。
【００１９】
袋体１は、表面側シート２と裏面側シート３が袋状に閉じられて、一端縁には開口部９bが設けられ、表面側シート２の左右端部近傍を覆う延出片６を有している。このことにより収納物が不用意に出ない。
【実施例２】
【００２０】
図２は、本発明の実施例２の上面側を示す斜視図である。
【００２１】
表面側シート２と裏面側シート３が袋状に閉じられた収納部の内部に複数枚を折り畳んで重ねた状態に束ねたティッシュ８を収納し、裏面側シート３と表面延長シート４b又は裏面延長シート４cとの間に使用済みのティッシュ等のゴミ１１を収納する第２の袋状部を備え、第２の袋状部の一端縁にはゴミ入れ口９aを設け、ゴミ入れ口９aの開口部を閉じた状態に保つため延出片６によって左右端部近傍を覆っている。
【００２２】
また、表面側シート２と下面部シート５及び裏面側シート３、裏面延長シート４c、延出片６の左右端縁１４a,１４bが熱溶着７されている。                
【００２３】
図３は、本発明の実施例２の裏面側を示す。表面延長シート４b又は裏面延長シート４cの中央付近にタック１０を設け、また第２の袋状部の一端縁にはゴミ入れ口９aが設けられている。タックを設けることにより、ゴミが多く入る。
【００２４】
図４は、本発明の実施例２の図２のa-a断面図である。ティッシュの上面側を受ける表面側シート２と表面側シート２の後方に連なってティッシュの下面部分を覆う下面部シート５と、表面側シート２の前方に連なって下面部シート５の外側を覆う裏面側シート３と、前記裏面側シート３の前方に連なって折り返した裏面延長シート４cと、裏面延長シート４cの前方に連なって表面側シート２の左右端部近傍を覆う延出片６を有している。
【００２５】
図５は、本発明の実施例２の袋体１の展開図である。袋体１を構成する基材は、長方形状の熱可塑性の合成樹脂フィルムや熱可塑性の合成樹脂繊維の不織布シートなどで形成され、表面側シート２及び裏面側シート３、裏面延長シート４c、下面部シート５、延出片６が一枚のシートで構成されている。
【実施例３】
【００２６】
図６は、本発明の実施例３の図２のa-a断面図である。ティッシュの上面側を受ける表面側シート２と、表面側シート２の後方に連なってティッシュの下面部分を覆う裏面側シート３と、表面側シート２の前方に連なって裏面側シート３の外側を覆う表面延長シート４bと、表面延長シート４bの前方に連なって表面側シート２の左右端部近傍を覆う延出片６を有している。
【００２７】
図７は、本発明の実施例３の袋体１の展開図である。袋体１を構成する基材は、長方形状の熱可塑性の合成樹脂フィルムや熱可塑性の合成樹脂繊維の不織布シートなどで形成され、表面側シート２及び裏面側シート３、表面延長シート４b、延出片６が一枚のシートで構成されている。
【実施例４】
【００２８】
図８は、本発明の実施例４の上面側を示す斜視図である。第２の袋状部の一端縁にはゴミ入れ口９aが設けられ、延出片６により表面側シート２の端部近傍を覆っている。
【符号の説明】
【００２９】
１    袋体
２    表面側シート
３    裏面側シート
４b   表面延長シート
４c   裏面延長シート
５    下面部シート
６    延出片
７    熱溶着部
８    ティッシュ
９a   ゴミ入れ口
９b   開口部
１０  タック
１１  ゴミ
１２  ミシン目
１３  折り目
１４a 端縁
１４b 端縁
【図１】
2012232758.tif 000003
【図２】
2012232758.tif 000004
【図３】
2012232758.tif 000005
【図４】
2012232758.tif 000006
【図５】
2012232758.tif 000007
【図６】
2012232758.tif 000008
【図７】
2012232758.tif 000009
【図８】
2012232758.tif 000010